(57)【要約】【課題】静止画像等のイメージ情報を用いて所望の表現力および訴求力を有する音声付動画を生成することができる音声付動画生成サーバー装置を提供すること。【解決手段】音声付動画生成サーバー装置１０は、端末２０との間での通信を制御する通信制御部１１，１２と、端末２０から受信したイメージ情報を格納するイメージ情報データーベース１４と、動画編集に必要な動画編集用映像情報および音声情報が格納された動画編集データーベース１５と、端末２０からの指令に基づいて、イメージ情報データーベース１４および動画編集データーベース１５から特定の情報を選択する情報選択手段１６と、情報選択手段で選択された情報とから、ＭＩＤＩ情報に挿入された編集指示に基づいて音声付動画を自動的に作成する自動動画作成手段１７と、端末２０からの指令に基づいて作成された音声付動画を前記端末に送信可能な状態とする動画処理手段１６とを有する。【選択図】図１
2006301775.tif 000002
【特許請求の範囲】
【請求項１】
任意のイメージ情報と、動画編集に必要な動画編集用映像情報およびＭＩＤＩ情報を含む音声情報とから、ＭＩＤＩ情報に挿入された編集指示に基づいて音声付動画を生成することを特徴とする音声付動画生成方法。
【請求項２】
端末から送信されたイメージ情報に基づいて音声付動画を生成する音声付動画生成サーバー装置であって、
前記端末との間での通信を制御する通信制御部と、
前記端末から受信したイメージ情報を格納するイメージ情報データーベースと、
動画編集に必要な動画編集用映像情報および編集指示機能を備えたＭＩＤＩ情報を含む音声情報が格納された動画編集データーベースと、
前記端末からの指令に基づいて、前記イメージ情報データーベースから、特定のイメージ情報を選択し、かつ前記動画編集データーベースから、特定の動画編集用映像情報および音声情報を選択する情報選択手段と、
前記情報選択手段で選択されたイメージ情報と、動画編集用映像情報および音声情報とから、ＭＩＤＩ情報に挿入された編集指示に基づいて音声付動画を自動的に作成する自動動画作成手段と、
前記端末からの指令に基づいて前記自動動画作成手段で作成された音声付動画を前記端末に送信可能な状態とする動画処理手段と
を具備することを特徴とする音声付動画生成サーバー装置。
【請求項３】
音声付動画を生成する音声付動画生成サーバーと、
前記音声付動画生成サーバーにイメージ情報を送信し、前記音声付動画生成サーバーから音声付動画を受信する端末と、
前記音声付動画生成サーバーと前記端末とを通信可能に接続するネットワークと
を具備する音声付動画生成システムであって、
前記音声付動画生成サーバーは、
前記端末との間での通信を制御する通信制御部と、
前記端末から受信したイメージ情報を格納するイメージ情報データーベースと、
動画編集に必要な動画編集用映像情報および編集指示機能を備えたＭＩＤＩ情報を含む音声情報が格納された動画編集データーベースと、
前記端末からの指令に基づいて、前記イメージ情報データーベースから、特定のイメージ情報を選択し、かつ前記動画編集データーベースから、特定の動画編集用映像情報および音声情報を選択する情報選択手段と、
前記情報選択手段で選択されたイメージ情報と、動画編集用映像情報および音声情報とから、ＭＩＤＩ情報に挿入された編集指示に基づいて音声付動画を自動的に作成する自動動画作成手段と、
前記端末からの指令に基づいて前記自動動画作成手段で作成された音声付動画を前記端末に送信可能な状態とする動画処理手段と
を有することを特徴とする音声付動画生成システム。
【請求項４】
前記端末はカメラ付携帯電話であることを特徴とする請求項３に記載の音声付動画生成システム。
【請求項５】
前記端末は、パーソナルコンピューターであることを特徴とする請求項３に記載の音声付動画生成システム。
【請求項６】
端末から送信されたイメージ情報を受信する工程と、
受信したイメージ情報をイメージ情報データーベースに格納する工程と、
前記端末からの指令に基づき、前記イメージ情報データーベースに格納された情報を選択し、かつ動画編集に必要な動画編集用映像情報および編集指示機能を備えたＭＩＤＩ情報を含む音声情報が格納された動画編集データーベースから、特定の動画編集用映像情報および音声情報を選択する工程と、
前記選択されたイメージ情報と、動画編集用映像情報および音声情報とから、ＭＩＤＩ情報に挿入された編集指示に基づいて音声付動画を自動的に作成する工程と、
前記端末からの指令に基づいて前記自動動画作成手段で作成された音声付動画を前記端末に送信可能な状態とする工程と
を有することを特徴とする音声付動画生成方法。
【請求項７】
コンピューターに、端末から送信されたイメージ情報に基づいて音声付動画を生成させるためのプログラムであって、
端末から送信されたイメージ情報を受信する工程と、
受信したイメージ情報をイメージ情報データーベースに格納する工程と、
前記端末からの指令に基づき、前記イメージ情報データーベースに格納された情報を選択し、かつ動画編集に必要な動画編集用映像情報および編集指示機能を備えたＭＩＤＩ情報を含む音声情報が格納された動画編集データーベースから、特定の動画編集用映像情報および音声情報を選択する工程と、
前記選択されたイメージ情報と、動画編集用映像情報および音声情報とから、ＭＩＤＩ情報に挿入された編集指示に基づいて音声付動画を自動的に作成する工程と、
前記端末からの指令に基づいて前記自動動画作成手段で作成された音声付動画を前記端末に送信可能な状態とする工程と
をコンピューターに実行させることを特徴とするコンピューター読み取り可能なプログラム。
【発明の詳細な説明】
【技術分野】
【０００１】
本発明は、カメラ付携帯電話のような撮影手段付の端末装置やデジタルカメラにより撮像した任意の静止画像に基づいて音声付動画を生成する音声付動画生成方法、音声付動画生成システム、音声付動画生成サーバー装置、およびコンピューター読み取り可能なプログラムに関する。
【背景技術】
【０００２】
従来、プレゼンテーション用等に、カメラ付携帯電話のような撮影手段付の端末装置やデジタルカメラにより撮像した複数の静止画像を一定間隔毎に再生するスライドショーが一般的に利用されており、ＢＧＭ、映像効果付スライドショーも用いられている。また、スライドショー等によるプレゼンテーションにおいて、適切なＢＧＭ等を各スライドに関連付ける技術も公知である（例えば特許文献１）。
【０００３】
しかし、従来の技術では静止画像の切り替えタイミングや映像効果の挿入タイミングに音楽との相関性がなく、表現力および訴求力が必ずしも十分ではない。
【０００４】
一方、映像制作のプロが制作したＣＭやミュージックビデオ等の動画は、映像効果と音楽との相乗効果が表現されており、表現力および訴求力が十分であるが、このような映像制作のプロが作成した動画は一般の利用者は入手が困難である。
【特許文献１】特開２００４−１７０９３６号公報
【発明の開示】
【発明が解決しようとする課題】
【０００５】
本発明はかかる事情に鑑みてなされたものであって、静止画像等のイメージ情報を用いて所望の表現力および訴求力を有する音声付動画を生成することができる、音声付動画生成方法、音声付動画生成システム、音声付動画生成サーバー装置、およびコンピューター読み取り可能なプログラムを提供することを目的とする。
【課題を解決するための手段】
【０００６】
上記課題を解決するために、本発明の第１の観点では、任意のイメージ情報と、動画編集に必要な動画編集用映像情報およびＭＩＤＩ情報を含む音声情報とから、ＭＩＤＩ情報に挿入された編集指示に基づいて音声付動画を生成することを特徴とする音声付動画生成方法を提供する。
【０００７】
本発明の第２の観点では、端末から送信されたイメージ情報に基づいて音声付動画を生成する音声付動画生成サーバー装置であって、前記端末との間での通信を制御する通信制御部と、前記端末から受信したイメージ情報を格納するイメージ情報データーベースと、動画編集に必要な動画編集用映像情報および編集指示機能を備えたＭＩＤＩ情報を含む音声情報が格納された動画編集データーベースと、前記端末からの指令に基づいて、前記イメージ情報データーベースから、特定のイメージ情報を選択し、かつ前記動画編集データーベースから、特定の動画編集用映像情報および音声情報を選択する情報選択手段と、前記情報選択手段で選択されたイメージ情報と、動画編集用映像情報および音声情報とから、ＭＩＤＩ情報に挿入された編集指示に基づいて音声付動画を自動的に作成する自動動画作成手段と、前記端末からの指令に基づいて前記自動動画作成手段で作成された音声付動画を前記端末に送信可能な状態とする動画処理手段とを具備することを特徴とする音声付動画生成サーバー装置を提供する。
【０００８】
本発明の第３の観点では、音声付動画を生成する音声付動画生成サーバーと、前記音声付動画生成サーバーにイメージ情報を送信し、前記音声付動画生成サーバーから音声付動画を受信する端末と、前記音声付動画生成サーバーと前記端末とを通信可能に接続するネットワークとを具備する音声付動画生成システムであって、前記音声付動画生成サーバーは、前記端末との間での通信を制御する通信制御部と、前記端末から受信したイメージ情報を格納するイメージ情報データーベースと、動画編集に必要な動画編集用映像情報および編集指示機能を備えたＭＩＤＩ情報を含む音声情報が格納された動画編集データーベースと、前記端末からの指令に基づいて、前記イメージ情報データーベースから、特定のイメージ情報を選択し、かつ前記動画編集データーベースから、特定の動画編集用映像情報および音声情報を選択する情報選択手段と、前記情報選択手段で選択されたイメージ情報と、動画編集用映像情報および音声情報とから、ＭＩＤＩ情報に挿入された編集指示に基づいて音声付動画を自動的に作成する自動動画作成手段と、前記端末からの指令に基づいて前記自動動画作成手段で作成された音声付動画を前記端末に送信可能な状態とする動画処理手段とを有することを特徴とする音声付動画生成システムを提供する。
【０００９】
ここで、前記端末としては、カメラ付携帯電話であってもよいしパーソナルコンピューターであってもよい。
【００１０】
本発明の第４の観点では、端末から送信されたイメージ情報を受信する工程と、受信したイメージ情報をイメージ情報データーベースに格納する工程と、前記端末からの指令に基づき、前記イメージ情報データーベースに格納された情報を選択し、かつ動画編集に必要な動画編集用映像情報および編集指示機能を備えたＭＩＤＩ情報を含む音声情報が格納された動画編集データーベースから、特定の動画編集用映像情報および音声情報を選択する工程と、前記選択されたイメージ情報と、動画編集用映像情報および音声情報とから、ＭＩＤＩ情報に挿入された編集指示に基づいて音声付動画を自動的に作成する工程と、前記端末からの指令に基づいて前記自動動画作成手段で作成された音声付動画を前記端末に送信可能な状態とする工程とを有することを特徴とする音声付動画生成方法を提供する。
【００１１】
本発明の第５の観点では、コンピューターに、端末から送信されたイメージ情報に基づいて音声付動画を生成させるためのプログラムであって、端末から送信されたイメージ情報を受信する工程と、受信したイメージ情報をイメージ情報データーベースに格納する工程と、前記端末からの指令に基づき、前記イメージ情報データーベースに格納された情報を選択し、かつ動画編集に必要な動画編集用映像情報および編集指示機能を備えたＭＩＤＩ情報を含む音声情報が格納された動画編集データーベースから、特定の動画編集用映像情報および音声情報を選択する工程と、前記選択されたイメージ情報と、動画編集用映像情報および音声情報とから、ＭＩＤＩ情報に挿入された編集指示に基づいて音声付動画を自動的に作成する工程と、前記端末からの指令に基づいて前記自動動画作成手段で作成された音声付動画を前記端末に送信可能な状態とする工程とをコンピューターに実行させることを特徴とするコンピューター読み取り可能なプログラムを提供する。
【発明の効果】
【００１２】
本発明によれば、動画編集情報データーベースに映像制作のプロが作成した種々の情報を収納しておき、ユーザーからの静止画像等のイメージ情報とこのような動画編集情報データーベースに収納された情報とにより、ＭＩＤＩ情報に挿入された編集機能を用いて音楽やナレーション等の音声付動画を自動的に作成することができるので、ユーザーが選んだイメージ情報を極めて表現力および訴求力の大きいものとすることができる。
【発明を実施するための最良の形態】
【００１３】
以下、添付図面を参照して、本発明の実施形態ついて具体的に説明する。
図１は、本発明の一実施形態に係る音声付動画生成システムの全体構成を示す概略図である。この音楽付動画生成システムは、利用者からの静止画像から音声付動画を作成する動画生成サーバー１０と、動画生成サーバー１０に静止画像等のイメージ情報を送信する端末（カメラ付携帯電話２０ａおよびパーソナルコンピューター２０ｂ＋デジタルカメラ３０）２０と、動画生成サーバー１０と端末２０とを通信可能に接続するネットワーク４０とを備えている。
【００１４】
動画生成サーバー１０は、ネットワーク４０に接続され端末２０との間でメール通信を行うメールサーバー１１と、ネットワーク４０に接続され端末との間でインターネット通信を行うインターネットサーバー（ｗｅｂサーバー）１２と、定期的に特定のメールアドレスを監視し、電子メールを受信するとともに、受信したイメージ情報付メールを処理する電子メール処理部１３と、電子メール処理部１３が取得したユーザー情報およびイメージ情報を登録するユーザー情報データーベース１４と、動画編集に必要な映像情報と音声情報とが格納された動画編集データーベース１５と、ユーザーの端末２０からの指令に基づいて動画作成のための情報を選択したり、作成された動画の処理等を行う情報処理部１６と、情報処理部１６により選択された情報に基づいて自動的に所定の動画を作成する自動動画作成部１７と、自動動画作成部１７で作成された動画を収納する動画情報データーベース１８とを備えている。
【００１５】
電子メール処理部１３は、ユーザーから端末２０およびネットワーク４０を介してメールサーバー１１に送られてきたイメージ情報付メールからユーザー情報（ユーザーメールアドレス等）およびイメージ情報を取得し、ユーザーメールアドレスを識別子として上述のユーザー情報データーベース１４を作成し、ユーザー情報データーベース１４に静止画等のイメージ情報とユーザー情報を登録する。また、電子メール処理部１３は、イメージ情報とユーザー情報の登録が完了した時点で、ユーザーメールアドレスに、ユーザー情報データーベース１４にアクセスするためのＵＲＬが記載された画像登録完了通知をメール送信する。
【００１６】
ユーザー情報データーベース１４には、ユーザーを識別するための管理コード、ユーザーが登録したメールアドレス、ユーザーがアップロードした静止画像ファイルが含まれている。
【００１７】
動画編集データーベース１５は、図２に示すように、ＷＡＶＥファイルおよびＭＩＤＩファイルを含む音声情報ファイル２１と、映像効果「アニメーションフレーム」の素材（静止画、動画）を含むアニメーションフレーム情報ファイル２２と、映像効果「アクションレイヤー」の素材（静止画、動画）を含むアクションレイヤー情報ファイル２３と、映像効果「オーバーラップカラー」の素材（静止画）を含むオーバーラップカラー情報ファイル２４とを有している。サウンド情報ファイル２１のＭＩＤＩファイルには、後述するように、編集指示が埋め込まれている。これら情報としては、映像制作のプロが制作した種々のものが含まれている。上記のように、映像効果には、アニメーションフレーム、アクションレイヤー、オーバーラップカラーが存在する。これらの中で、アニメーションフレームは、テーマやターゲット別に動画全体に挿入される比較的長いアニメーション効果である。また、アクションレイヤーは、リズムやタイミングに合わせて挿入される比較的短いアニメーション効果である。さらに、オーバーラップカラーは、画像に色や模様を重ね合わせる画像フィルターである。
【００１８】
情報処理部１６は、Ｗｅｂプログラムを含み、ユーザーがユーザー情報データーベース１４にアクセスした際に、ユーザー端末２０の画面を情報データーベース１４および動画編集データーベース１５の内容を表示する動画編集画面とし、その画面からユーザーが入力した、使用したいサウンドやナレーション等の音声情報や使用したい画像情報、および映像効果の種類等に基づいて、ユーザー情報データーベース１４および動画編集データーベース１５から情報を選択し、その情報を自動動画作成部１７に送る機能を有している。また、自動動画作成部１７で作成した音声付動画を受け取り、動画情報データーベース１８に格納するとともに、ユーザーメールアドレスへ、動画情報ＵＲＬが記載された完了通知メールを送信する。さらに、情報処理部１６は、ユーザーが動画情報データーベース１８のＵＲＬへアクセスした際にユーザー端末２０の画面を動画ダウンロード画面とし、ユーザー端末２０の画面に作成された動画を表示可能とする。
【００１９】
自動動画作成部１７は、例えば、ｗｅｂサーバー（ＡＳＰなど）から容易に利用可能なＣＯＭサーバーとして機能し、情報処理部１６においてユーザー指令に基づいて選択された音声情報やナレーション等の音声情報や画像情報、および映像効果を用い、自動的に所定の音声付動画データを生成する。
【００２０】
具体的には、自動動画作成部１７は、図３に示すように、動画編集データーベース１５から選択された、サウンド情報であるＭＩＤＩデータ３１、ＷＡＶＥデータ３２、アニメーションフレーム、アクションレイヤー、オーバーラップ等の映像効果データ３３を受け取り、さらにユーザー情報データーベース１４から選択された静止画像３４を受け取って、ＭＩＤＩデータに埋め込まれた編集指示に従い、これらから動画データ３５を生成する。
【００２１】
次に、図４の情報の流れを示すブロック図および図５のフローチャートを参照して、音声付動画生成システムにおける動作について説明する。まず、ユーザーは、カメラ付携帯電話２０ａまたはデジタルカメラ３０により撮影したイメージ情報を電子メールに添付し、動画生成サーバー１０のメールアドレスへ送信する（ステップ１）。電子メール処理部１３では、定期的に所定のメールアドレスの受信を監視し、上記電子メールを受信する（ステップ２）。
【００２２】
電子メール処理部１３においては、受信した電子メールからユーザー情報（ユーザーメールアドレス等）およびイメージ情報を取得し（ステップ３）、ユーザーメールアドレスを識別子としてユーザー情報データーベース１４を作成する（ステップ４）。そして、ユーザー情報データーベース１４に静止画等のイメージ情報とユーザー情報を登録する（ステップ５）。
【００２３】
このように、イメージ情報とユーザー情報の登録が完了した際に、電子メール処理部１３からユーザーメールアドレスに、ユーザー情報データーベース１４にアクセスするためのＵＲＬが記載された画像登録完了通知をメール送信する（ステップ６）。
【００２４】
画像登録完了通知を受け取ったユーザーが、ユーザー情報データーベース１４のＵＲＬへアクセスすると（ステップ７）、ユーザー端末２０の画面が情報データーベース１４および動画編集データーベース１５の内容を表示する動画編集画面となり、この画面上で使用したいサウンドやナレーション等の音声情報や使用したい画像情報、および映像効果の種類、メッセージ（文字情報）を入力する（ステップ８）。
【００２５】
この所定の情報の入力に基づいて、情報処理部１６が、ユーザー情報データーベース１４および動画編集データーベース１５から、画像情報、サウンドやナレーション等の音声情報、映像効果の種類、メッセージ（文字情報）を選択し、これらの情報に基づいて自動動画作成部１７により音声付動画を作成する（ステップ９）。
【００２６】
この動画作成においては、以下に示すように画像の合成処理と、ＭＩＤＩに受け込まれた編集指示（編集イベント）とが中心となる。
【００２７】
（１）合成処理
フレーム画像の生成は、各映像効果（アニメーションフレーム、アクションレイヤー、オーバーラップカラー）に該当する画像とベースとなる静止画（写真）の画像合成により行う。各効果は独立に処理されるが重ね合わせのときの順序は図６に示す通りとなる。
【００２８】
（２）編集指示（編集イベント）
ＭＩＤＩデータに埋め込まれた編集指示（編集イベント）とそのタイムコードからベース画像と映像効果の画像を決定し、合成処理後の画像をフレーム画像とする。編集イベントは、ＭＩＤＩデータに埋め込まれる。編集イベントは、以下の基本形を持つリアルタイムユニバーサルシステムエクスクルーシブメッセージの［sub-ID＃2］とエンドオブエクスクルーシブF7Hの間に任意のデータバイトを挿入することが可能である。例えば、この任意データとして２バイトのイベントコードを定義することができる。
基本形：F0H[ID number][device ID][sub-ID＃1][sub-ID＃2]…F7H
例えば、以下のようになる。
F0H 7FH 7FH 01H 01H mmH nnH F7H（mmはイベントコード。nnはパラメータ。）
【００２９】
ＭＩＤＩデータに埋め込まれる編集イベントは、以下の６つである。
（１）演奏開始イベント
（２）シーンチェンジイベント
（３）アニメーションフレームイベント
（４）アクションレイヤーイベント
（５）オーバーラップカラーイベント
（６）メッセージイベント
【００３０】
次に、以上の編集イベントを具体的に説明する。
（１）演奏開始イベント
イベントコード：00H
パラメータ：00H
動画の始まりを表すイベントでＭＩＤＩデータに必ず一つ存在する。このイベントが埋め込まれている位置でタイムコード00:00:00 00にリセットされる。
【００３１】
（２）シーンチェンジイベント
イベントコード：01H
パラメータ：00H/01H
次の静止画に切り替えるタイミングを示すイベントである。パラメータが00Hの場合は単純なカット切り替えであり、パラメータが01Hの場合はクロスディゾルブ効果により切り替わる。切り替え時の効果については、ワイプ、スライド等の他のものも可能である。効果がある場合の切り替え継続時間は１秒程度とする。
【００３２】
（３）アニメーションフレームイベント
イベントコード：02H
パラメータ：00H/01H
アニメーションフレームの開始・終了を示すイベントであり、図７に示すように、パラメータが00HはＩｎ点を表し、01HはＯｕｔ点を表す。Ｉｎ／Ｏｕｔ点の間でアニメーション数が足りない場合はアニメーションの最初から繰り返す。
【００３３】
（４）アクションレイヤーイベント
イベントコード：03H
パラメータ：00H
図８に示すように、アクションレイヤーの開始を示すイベントであり、指定のアニメーション数を出力した時点で終了とする。アクションレイヤーイベント処理中にアクションレイヤーイベントが発生した場合は、図９に示すように、アニメーションを中断し、再び最初からアニメーションを開始する。
【００３４】
（５）オーバーラップカラーイベント
イベントコード：04H
パラメータ：00H
オーバーラップカラーの開始を示すイベントである。図１０に示すように、このイベント発生時点の静止画のみに適用する。シーンチェンジイベントによりこのイベントはクリアされる。
【００３５】
（６）メッセージイベント
イベントコード：05H
パラメータ：00H/01H
動画の最後に挿入するメッセージを表示するタイミングを示すイベントであり、動画の終わりを表す。メッセージ表示画面の継続時間は１．５秒とする。パラメータが00Hの場合は単純なカット切り替えであり、パラメータが01Hの場合はクロスディゾルブ効果により切り替わる。効果がある場合の切り替え継続時間は１秒程度とする。なお、メッセージ画像に映像効果（アニメーションフレーム、アクションレイヤー等）は加えないものとする。
【００３６】
次に、自動動画作成部１７のファイルのフォーマット例について以下に示す。
（１）アニメーション情報ファイル
非圧縮ＡＶＩ形式の動画ファイル、または複数からなるＢＩＴＭＡＰ形式の画像ファイル群
（２）アクションレイヤー情報ファイル
非圧縮ＡＶＩ形式の動画ファイル、または複数からなるＢＩＴＭＡＰ形式の画像ファイル群
（３）オーバーラップカラー情報ファイル
ＢＩＴＭＡＰ形式の画像ファイル群
（４）サウンド情報ファイル
（ｉ）音声ファイル
無圧縮（ＰＣＭ）方式のＷＡＶＥ形式の音声ファイル
（ii）ＭＩＤＩファイル
スタンダードＭＩＤＩ規格に従う楽曲データファイル
（５）動画情報ファイル
非圧縮ＡＶＩファイル、３ＧＰＰ２形式ファイル
【００３７】
動画作成後、情報処理部１６は、作成された音声付動画を受け取り、動画情報データーベース１８に格納し（ステップ１０）、ユーザーメールアドレスへ、動画情報ＵＲＬが記載された完了通知メールを送信する（ステップ１１）。
【００３８】
完了通知メールを受け取ったユーザーが、動画情報データーベース１８のＵＲＬへアクセスすると（ステップ１２）、ユーザー端末２０の画面がダウンロード画面となり、この画面に作成された動画を表示し、必要に応じてダウンロードする（ステップ１３）。
【００３９】
以上に述べた機能や処理は、プログラムとしてコンピューターに実行させることができる。このプログラムはコンピューター内のハードディスクや半導体メモリーに記憶されていてもよいし、ＣＤＲＯＭ、ＤＶＤ等の可搬性の記憶媒体に収容されていてもよい。
【００４０】
以上のように、動画編集情報データーベースに映像制作のプロが作成した種々の音楽やナレーション等の音声情報や動画編集に必要な情報を収納しておき、ユーザーの静止画像とこのような動画編集情報データーベースに収納された情報とにより、音声付動画を自動的に作成することができるので、ユーザーが選んだ情報を極めて表現力および訴求力の大きいものとすることができる。
【００４１】
なお、本発明は上記実施形態に限ることなく種々変更可能である。例えば、上記実施形態ではウエブを用いて音声付動画を作成する場合について示したが、これに限るものではない。また、ユーザーが送信するイメージ情報は必ずしも静止画像である必要はない。
【産業上の利用可能性】
【００４２】
本発明によれば、ユーザー所望の静止画像等のイメージ情報に基づいて、表現力および訴求力の大きい音声付動画を作成することができるので、プレゼンテーション等に最適である。
【図面の簡単な説明】
【００４３】
【図１】本発明の一実施形態に係る音声付動画生成システムの全体構成を示す概略図。
【図２】図１の音声付動画生成システムにおける動画編集データーベースを示す図。
【図３】自動動画作成部におけるデータ作成の際のデータ構成を示す図。
【図４】図１の音声付動画生成システムにおける情報の授受を説明するための図。
【図５】本発明の一実施形態に係る音声付動画生成システムにおける処理フローを説明するためのフローチャート。
【図６】フレーム画像の生成の際の重ね合わせの順序を説明するための図。
【図７】アニメーションフレームイベントを説明するための図。
【図８】アクションレイヤーイベントを説明するための図。
【図９】アクションレイヤーイベント処理中にアクションレイヤーイベントが発生した場合の処理を説明するための図。
【図１０】オーバーラップカラーイベントを説明するための図。
【符号の説明】
【００４４】
１０；動画生成サーバー
１１；メールサーバー（通信制御部）
１２；インターネットサーバー（通信制御部）
１３；電子メール処理部
１４；ユーザー情報データーベース（イメージ情報データーベース）
１５；動画編集データーベース
１６；情報処理部（情報選択手段、動画処理手段）
１７；動画自動作成部（動画自動作成手段）
１８；動画情報データーベース
２０；端末
２０ａ；カメラ付携帯電話
２０ｂ；パーソナルコンピューター
２１；音声情報ファイル
２２；アニメーションフレーム情報ファイル
２３；アクションレイヤー情報ファイル
２４；オーバーラップカラー情報ファイル
３０；デジタルカメラ
３１：ＭＩＤＩデータ
３２：ＷＡＶＥデータ
３３：映像効果データ
３４：静止画像
３５：動画データ
４０；ネットワーク
【図１】
2006301775.tif 000003
【図２】
2006301775.tif 000004
【図３】
2006301775.tif 000005
【図４】
2006301775.tif 000006
【図５】
2006301775.tif 000007
【図６】
2006301775.tif 000008
【図７】
2006301775.tif 000009
【図８】
2006301775.tif 000010
【図９】
2006301775.tif 000011
【図１０】
2006301775.tif 000012